(57)【要約】【課題】天然の貝殻から製造した螺鈿シートを使用することによって、螺鈿細工の持つ優れた装飾性を生かした非接触型ＩＣカードを提供すること。【解決手段】装飾用中間層１を表裏のカード基材２，３の間に挟んで一体化して成る装飾カードであって、前記装飾用中間層を、周辺の枠の内側に貫通孔又は凹部を有する固定用シート１１と、この貫通孔又は凹部に固定され、天然の貝殻の内側の真珠層を散りばめた螺鈿シート１２とで構成すると共に、裏側カード基材３にＩＣインレット５３を内蔵させ、かつ、前記カード基材のうち少なくとも一方と、固定用シートとを接着剤２ａ，３ａによって一体化する。ＩＣインレット５３によって非接触で通信可能となり、しかも、真珠層の持つ優れた特有の光沢、色彩変化、あるいは深みを生かしながら、全体が強固に一体化して、螺鈿シートもカード基材から分離することがない。【選択図】図１
2017217887.tif 000002
【特許請求の範囲】
【請求項１】
装飾用中間層を有し、この装飾用中間層を観察できる方向を表側とし、その反対側を裏側として、前記装飾用中間層を表側のカード基材と裏側のカード基材との間に挟んで一体化して成る装飾カードであって、
前記装飾用中間層が、周辺の枠の内側に螺鈿シート収容部を有する固定用シートと、この螺鈿シート収容部に固定され、天然の貝殻の内側の真珠層を散りばめた螺鈿シートとで構成されており、
前記表側カード基材と裏側カード基材のうち少なくとも一方と、固定用シートとが接着剤によって一体化されており、
前記表側カード基材と裏側カード基材のうち一方にＩＣインレットが内蔵されていると共に、このＩＣインレットがインレット基材と、このインレット基材に設けられたアンテナ回路と、このアンテナ回路を通じて外部機器との間で情報を交換するＩＣチップとを備えている、
ことを特徴とする装飾カード。
【請求項２】
前記表側カード基材の厚みと裏側カード基材の厚みとの差が０．２０ｍｍ以下であることを特徴とする請求項１に記載の装飾カード。
【請求項３】
前記ＩＣインレットが裏側カード基材に内蔵されていることを特徴とする請求項２に記載の装飾カード。
【請求項４】
固定用シートの螺鈿シート収容部が螺鈿シートの厚みより深いことを特徴とする請求項１〜３のいずれかに記載の装飾カード。
【請求項５】
前記表側カード基材が透明であることを特徴とする請求項１〜４のいずれかに記載の装飾カード。
【請求項６】
前記螺鈿シートが前記真珠層を接着剤で固定してシート形状に成形したものであることを特徴とする請求項１〜５のいずれかに記載の装飾カード。
【請求項７】
前記螺鈿シートが、シート状支持体に前記真珠層を固定したものであることを特徴とする請求項１〜５のいずれかに記載の装飾カード。
【発明の詳細な説明】
【技術分野】
【０００１】
本発明は、外部機器との間で情報を交換することができるＩＣチップを内蔵するカードで、しかも、螺鈿細工を利用してその装飾性を高めたカードに関するものである。
【背景技術】
【０００２】
螺鈿細工は、天然の貝殻からその内側の真珠層の部分を板状に切り出して、これを散りばめたもので、漆器や木工品の表面に嵌め込んで使用されている。この螺鈿細工は特有の真珠光沢を有し、また、見る角度によってその色彩が変化する等、極めて深みと装飾性に優れた材料である。一方、この螺鈿細工は天然の貝殻を多量に使用することから、極めて高価であった。
【０００３】
ところで、このような螺鈿細工状の装飾柄を印刷や塗料の塗布によって表現した装飾品が知られている（特許文献１〜２）。このように印刷等によって螺鈿柄を表現した装飾品は、天然の貝殻を使用しないから安価に製造することができるが、その一方、螺鈿細工の持つ装飾性、すなわち、特有の光沢、色彩変化、あるいは深みを表現することは困難であった。
【０００４】
一方、ＩＣチップを内蔵して外部機器との間で情報を交換することができるカードは、ＩＣカードの名称でよく知られている。このＩＣカードに装飾を施すこともあるが、せいぜい金粉や銀粉等を施して蒔絵調とするに過ぎず（特許文献３）、螺鈿特有の真珠光沢を有するものは皆無であった。
【先行技術文献】
【特許文献】
【０００５】
【特許文献１】特開２０１３−５９９３５号公報
【特許文献２】特開２０１４−４７００号公報
【特許文献３】実用新案登録第３１８８６７２号公報
【発明の概要】
【発明が解決しようとする課題】
【０００６】
そこで、本発明は、天然の貝殻から製造した螺鈿シートを使用することによって、螺鈿細工の持つ優れた装飾性を生かした非接触型ＩＣカードを提供することを目的とする。
【課題を解決するための手段】
【０００７】
すなわち、請求項１に記載の発明は、装飾用中間層を有し、この装飾用中間層を観察できる方向を表側とし、その反対側を裏側として、前記装飾用中間層を表側のカード基材と裏側のカード基材との間に挟んで一体化して成る装飾カードであって、
前記装飾用中間層が、周辺の枠の内側に螺鈿シート収容部を有する固定用シートと、この螺鈿シート収容部に固定され、天然の貝殻の内側の真珠層を散りばめた螺鈿シートとで構成されており、
前記表側カード基材と裏側カード基材のうち少なくとも一方と、固定用シートとが接着剤によって一体化されており、
前記表側カード基材と裏側カード基材のうち一方にＩＣインレットが内蔵されていると共に、このＩＣインレットがインレット基材と、このインレット基材に設けられたアンテナ回路と、このアンテナ回路を通じて外部機器との間で情報を交換するＩＣチップとを備えている、
ことを特徴とする装飾カードである。
【０００８】
次に、請求項２に記載の発明は、前記表側カード基材の厚みと裏側カード基材の厚みとの差が０．２０ｍｍ以下であることを特徴とする請求項１に記載の装飾カードである。
【０００９】
また、請求項３に記載の発明は、前記ＩＣインレットが裏側カード基材に内蔵されていることを特徴とする請求項２に記載の装飾カードである。
【００１０】
また、請求項４に記載の発明は、固定用シートの螺鈿シート収容部が螺鈿シートの厚みより深いことを特徴とする請求項１〜３のいずれかに記載の装飾カードである。
【００１１】
また、請求項５に記載の発明は、前記表側カード基材が透明であることを特徴とする請求項１〜４のいずれかに記載の装飾カードである。
【００１２】
また、請求項６に記載の発明は、前記螺鈿シートが前記真珠層を接着剤で固定してシート形状に成形したものであることを特徴とする請求項１〜５のいずれかに記載の装飾カードである。
【００１３】
また、前記螺鈿シートが、シート状支持体に前記真珠層を固定したものであることを特徴とする請求項１〜５のいずれかに記載の装飾カードである。
【発明の効果】
【００１４】
本発明の装飾カードにおいては、表側カード基材と裏側カード基材とのうち少なくとも一方のシートとして、ＩＣインレットを内蔵したシートを使用しており、しかも、このＩＣインレットがアンテナ回路とＩＣチップとを備えているから、このアンテナ回路を通じてＩＣチップと外部機器との間で非接触で情報を交換することができる。すなわち、いわゆる非接触型ＩＣカードを構成している。
【００１５】
そして、この装飾カードにおいては、天然の貝殻の内側の真珠層を散りばめた螺鈿シートを使用しており、この螺鈿シートを表側カード基材と裏側カード基材とで挟んでいるから、螺鈿シートの持つ優れた装飾性を生かしたカードとすることができる。
【００１６】
ところで、このように天然の貝殻の内側の真珠層を散りばめた螺鈿シートは、一般に上下のカード基材と接着し難く、両者は剥離し易い。しかしながら、本発明の装飾カードにおいては、この螺鈿シートを固定用シートの貫通孔又は凹部に固定して装飾用中間層とし、その固定用シートを接着剤で少なくとも一方のカード基材に一体化しているから、装飾用中間層とカード基材とが強固に接着して剥離することがない。そして、このため、固定用シートに固定された螺鈿シートもカード基材から分離することがないのである。
【図面の簡単な説明】
【００１７】
【図１】図１は本発明の装飾用中間層の具体例に係り、図１（ａ）は貫通孔を有する固定用シートを使用した装飾用中間層の具体例を示す断面説明図、図１（ｂ）は凹部を有する固定用シートを使用した装飾用中間層の具体例を示す断面説明図である。
【図２】図２は本発明のＩＣインレットの具体例を示す断面説明図である。
【図３】本発明の装飾カードの具体例を示す分解断面説明図である。
【発明を実施するための形態】
【００１８】
本発明は、螺鈿シートとＩＣインレットとを必須の構成要素とする非接触型ＩＣカードである。このうち、螺鈿シートは天然の貝殻の内側の真珠層を散りばめたものである。この螺鈿シートは、前記真珠層を接着剤で固定してシート形状に成形したものであってもよいし、シート状支持体に前記真珠層を固定したものであってもよい。
【００１９】
天然の貝殻としては、例えば、ヤコウガイ（夜光貝）、ミミガイ（南洋貝）、シロチョウガイ（白蝶貝）、クロチョウガイ（黒蝶貝）、カワシンジュガイ（青貝）、アコヤガイ（真珠貝）、タカセガイ（高瀬貝）、アワビ等の貝殻を使用することができる。これら貝殻を原料として、薬品を使用して内側の真珠層を剥がすことにより、厚み０．０５〜１．５０ｍｍの薄膜の真珠層を得ることができる。また、厚み１．５０ｍｍ〜２．００ｍｍの貝殻を研磨することにより、厚膜の真珠層を製造することもできる。本発明の螺鈿シートには、これら薄膜の螺鈿及び厚膜の真珠層のいずれであっても使用することができるが、装飾カードの厚みとの関係から、厚み０．０５〜１．５０ｍｍの薄膜の真珠層が好適である。
【００２０】
また、この真珠層を固定する接着剤としては、塩化ビニル−酢酸ビニル共重合体系接着剤、エポキシ系接着剤、アクリル系接着剤、ポリウレタン系接着剤等が使用できる。また、この接着剤として粘着剤を使用することもできる。例えば、アクリル系粘着剤、ポリエステル系粘着剤等である。また、これら接着剤に硬化剤を混合して、硬化型の接着剤としてもよい。例えば、ウレタン系又はエポキシ系の硬化剤である。
【００２１】
カードがＪＩＳ  Ｘ  ６３０１の規定に適合するカードである場合には、螺鈿シートの大きさは、その長辺側および短辺側が、この規格より１．０ｍｍ〜１０．０ｍｍ程度小さい大きさであることが望ましい。より望ましくは、この規格より１．０ｍｍ〜３．０ｍｍ程度小さい大きさである。
【００２２】
固定用シートは螺鈿シートと共に、表側カード基材と裏側カード基材との間に挟まれて装飾カードを構成するものである。その外形はカードより小さいものであってもよいが、カード厚みを均一にするため、カードと同形同大であることが望ましい。
【００２３】
固定用シートには、螺鈿シートを収容して固定する螺鈿シート収容部が設けられている必要がある。この螺鈿シート収容部は固定用シートの貫通孔又は凹部で構成することができる。固定用シートと螺鈿シートとは接着している必要はなく、螺鈿シートが固定用シートの螺鈿シート収容部に収容されて、この螺鈿シート収容部を越える大きい揺動が防止されていれば十分である。図１（ａ）は螺鈿シート収容部として貫通孔を設けた固定用シート１１に螺鈿シート１２を固定した装飾用中間層１の例を示す断面図である。また、図１（ｂ）は凹部を設けた固定用シート１１’に螺鈿シート１２を固定した装飾用中間層１’の例を示す断面図である。螺鈿シート収容部の位置は任意でよく、例えば中央であってもよい。
【００２４】
この螺鈿シート収容部は、螺鈿シート１２と同じ厚みか、螺鈿シート１２の厚みより０．１０〜０．２０ｍｍ深いものを使用することができる。螺鈿シート収容部の深さを螺鈿シート１２と同じ厚みより深いものとすることにより、装飾カードが反った場合にも、螺鈿シート１２が表側カード基材や裏側カード基材と接触することを防いで、螺鈿シート１２あるいは表裏のカード基材の損傷を防止することができる。望ましくは、螺鈿シート１２より０．１０〜０．１５ｍｍ深い螺鈿シート収容部である。例えば、螺鈿シート収容部として固定用シートの貫通孔を利用する場合には、この固定用シート１１，１１’として螺鈿シート１２と同じ厚みか、螺鈿シート１２より０．１０〜０．２０ｍｍ厚いシートを使用すればよい。また、同じ理由から、螺鈿シート収容部として固定用シートの凹部を利用する場合には、凹部の深さが螺鈿シート１２の厚みとほぼ同一であるか、あるいは螺鈿シート１２の厚みより０．１０〜０．２０ｍｍ深くすればよい。
【００２５】
次に、固定用シート１１，１１’の螺鈿シート収容部の大きさは、螺鈿シート１２の大きさと同一であるか、あるいはこれよりわずかに大きいことが望ましい。例えば、螺鈿シ
ート１２の大きさより０．５〜２．０ｍｍ大きいものである。より望ましくは螺鈿シート１２の大きさより０．５〜１．５ｍｍ大きいものである。
【００２６】
固定用シート１１，１１’としては、着色又は無着色の樹脂シートを使用することができる。樹脂シートとしては、ポリエステル樹脂、ＰＥＴ−Ｇ、アクリロニトリル−ブタジエン−スチレン共重合樹脂、塩化ビニル−酢酸ビニル共重合樹脂、ポリプロピレン樹脂、ポリカーボネート樹脂、トリアセテート樹脂、ポリアミド樹脂等のシートを使用することができる。このシートを着色するためには、着色顔料を添加してこれら樹脂シートを製膜すればよい。着色顔料としては、白色、黒色、藍色、紅色、黄色等、各色の着色顔料を使用することができ、これら着色顔料を添加することで光透過性のない樹脂シートを製造することができる。着色顔料の具体例を例示すると、ブリリアントカーミン６Ｃ、ジスアゾイエロー、フタロシアニングリーン、フタロシアニンブルー、メチルバイオレットレーキ、カーボンブラック、チタンホワイト等を挙げることができる。
【００２７】
固定用シート１１に貫通孔を形成する場合には、機械的に打ち抜いたり、あるいはレーザー照射して貫通孔の形状に切り抜くことによってこの貫通孔を形成することができる。また、凹部を形成する場合には、座刳り加工を施したり、あるいは貫通孔のあるシートとないシートとを張り合わせることにより、凹部を形成することができる。
【００２８】
そして、この螺鈿シート収容部に螺鈿シート１２を固定することにより、装飾用中間層１，１’を形成することができる。前述のように、螺鈿シート１２は、固定用シート１１，１１’に接着固定されている必要ななく、固定用シート１１，１１’の螺鈿シート収容部に螺鈿シート１２を収容するだけでよい。固定用シート１１，１１’の螺鈿シート収容部は螺鈿シート１２と同形同大であるか、せいぜい両者の間に０．５〜２．０ｍｍのわずかな隙間があるに過ぎないから、螺鈿シート１２はこの螺鈿シート収容部を越えて揺動することなく、実質的にその位置が固定される。
【００２９】
次に、ＩＣインレットは、インレット基材、アンテナ回路及びＩＣチップの三者を備えて構成されるものである。図２はこのようなＩＣインレット３３の例を示す断面説明図で、この図から分かるように、アンテナ回路３３２及びＩＣチップ３３３の両者はシート状のインレット基材３３１の上に設けられている。このようなＩＣインレット３３は公知であるが、例えば、インレット基材３３１としてはポリエチレンテレフタレート（ＰＥＴ）フィルムやポリエチレンナフタレート（ＰＥＮ）フィルム等の電気絶縁性フィルムを使用できる。また、アンテナ回路３３２は、このインレット基材３３１の上に銅箔又はアルミニウム箔を貼り合わせた後、フォトリソグラフィ法を利用してエッチングすることにより形成することができる。また、導電性インキを印刷したり、あるいは金属細線を引き回してアンテナ回路３３２を形成することも可能である。ＩＣチップ３３３は裸のチップのまま、あるいはモジュール化してインレット基材３３１上に搭載すればよい。なお、ＩＣチップ３３３は、アンテナ回路５３２を介して外部機器との間で情報交換ができるように、電気的にアンテナ回路３３２と接続する必要があることはもちろんである。
【００３０】
次に、表裏のカード基材の一方又は両方と固定用シートとを接着する接着剤は、カード基材とこの固定用シートとを強固に接着する役割を有するものである。この接着剤によって表裏のカード基材と螺鈿シートとを接着している必要はない。表裏のカード基材と螺鈿シートとが接着されていない場合でも、螺鈿シートは固定用シートの貫通孔又は凹部に固定されており、固定用シートが表裏のカード基材に強固に接着されているため、螺鈿シートは位置固定されて実質的に揺動することがない。なお、固定用シートは、表裏のカード基材の両方と強固に接着していることが望ましい。
【００３１】
表裏のカード基材と固定用シートとを接着する接着剤は、表裏のカード基材や固定用シ
ートの材質に応じて汎用の接着剤の中から選択することができる。例えば、塩化ビニル−酢酸ビニル共重合体系接着剤、エポキシ系接着剤、アクリル系接着剤、ウレタン系接着剤等である。また、一般に粘着剤として知られているものを接着剤として使用することも可能である。例えば、アクリル系粘着剤、ウレタン系粘着剤等である。もちろん、これら粘着剤に前述のエポキシ系接着剤やウレタン系接着剤等を添加して使用してもよい。なお、表裏のカード基材や固定用シートとの密着性や相溶性の点から、望ましい接着剤は、エポキシ系接着剤又はウレタン系接着剤である。
【００３２】
これら接着剤は、グラビア印刷法、スクリーン印刷法、フレキソ印刷法、オフセット印刷法等の印刷方法で表裏のカード基材の上に塗布することができる。また、一旦仮の支持体上に印刷して、その後表裏のカード基材に転写する転写印刷法で形成することも可能である。接着剤層の厚みは０．５〜１．０μｍでよい。
【００３３】
次に、表裏のカード基材のうち一方のシートは、螺鈿を透視できる程度の透明性を有することが望ましい。また、これら表裏のカード基材のうち一方のシートには、前記ＩＣインレットが内蔵されている必要がある。一般にＩＣインレットのアンテナ回路とＩＣチップとは不透明であることから、表側カード基材として透明なシートを使用し、裏側カード基材としてＩＣインレットを内蔵するシートを使用することが望ましい。また、このように裏側カード基材としてＩＣインレットを内蔵するシートを使用することによって、表側カード基材の厚みと裏側カード基材の厚みとの差を０．２０ｍｍ以下に小さくすることが可能となり、装飾カードの反りを防止して、反りに起因する螺鈿の割れ、真珠層の分離、あるいは後述する絵柄印刷層の割れ等を防止することが可能となる。
【００３４】
次に、図３は、表裏のカード基材の両方が積層構造を有する装飾カード１００の例を示す分解断面説明図である。この例では、表側カード基材２は、透明シート２１、オーバーシート２２、絵柄印刷層２３、保護層２４を積層して構成されており、全体として透明である。そして、この表側カード基材２は接着剤層２によって装飾用中間層１の固定用シート１１に接着して一体化している。なお、固定用シート１１は螺鈿シート１２より０．１０〜０．１５ｍｍ厚いシートであり、このため、表側カード基材２と螺鈿シート１２とは接着されていない。
【００３５】
一方、裏側カード基材３はＩＣインレット３３を内蔵した多層構造のシートである。この裏側カード基材３においては、ＩＣインレット３３の一方の面に、ＩＣチップ３３３を収容するチップ収容用凹部を有するチップ収容用シート３４が重ねられており、ＩＣチップ３３３はこの凹部に収容されて、これらＩＣインレット３３とチップ収容用シート３４との積層体が均一な厚みとなるように構成されている。なお、この例では、チップ収容用凹部はチップ収容用シート３４を貫通する貫通孔で構成されているが、もちろん、貫通することのない凹部であってもよい。そして、これらＩＣインレット３３とチップ収容用シート３４との両側には、ＩＣインレット５３を保護するインレット保護シート３２，３５が重ねられている。
【００３６】
そこで、この例の裏側カード基材３は、装飾用中間層１側から順に、下地印刷層３１、インレット保護シート３２、ＩＣインレット３３、チップ収容用シート３４、インレット保護シート３５、絵柄印刷層３６、オーバーシート３７の層構成を有している。なお、この裏側カード基材３も接着剤層３ａによって装飾用中間層１の固定用シート１１に接着して一体化されている。また、この裏側カード基材３は螺鈿シート１２に接着していない。
【００３７】
なお、表側カード基材２の厚みと裏側カード基材３の厚みとの差が０．２０ｍｍ以下となるように表側カード基材２と裏側カード基材３の厚みを調整することで装飾カードの反りの値をＪＩＳの規格である１．５ｍｍ以下に抑えることができる。これは、装飾用中間
層１，１’を構成する螺鈿シート１２が熱の影響を受け難く、熱プレス時に他のシートの熱収縮に追従できないことに起因している。このため、表裏の両カード基材２，３の厚みの差が０．２ｍｍを越えると、熱プレス後、装飾カード１００が表裏のいずれかの方向に反る結果となる。これに対して前記差が０．２０ｍｍ以下の場合には、反り値がＪＩＳ  Ｘ  ６３０１の規定の範囲内におさまるのである。
【００３８】
次に、既に説明した各層を除き、装飾カード１００を構成する各層について順次説明する。なお、既に説明した層は、装飾用中間層１、装飾用中間層１と表側カード基材２とを接着する接着剤２ａ，装飾用中間層１と裏側カード基材３とを接着する接着剤３ａ、ＩＣインレット３３である。
【００３９】
まず、表側カード基材２を構成する透明シート２１としては、例えば、ポリエステル樹脂（ＰＥＴ）、アクリルニトリル−ブタジエン−スチレン共重合体、塩化ビニル−酢酸ビニル共重合体、ＰＥＴ−Ｇ、ポリプロピレン、ポリカーボネート、トリアセテート、ポリアミド等の樹脂から成るシートを使用することができる。また、２枚あるいはそれ以上の樹脂シートを積層した多層構造のシートを透明シート２１として使用することも可能である。また、オーバーシート２２も透明シート２１と同様の材質の透明な樹脂シートを使用することができる。
【００４０】
次に、絵柄印刷層２３は、グラビア印刷法、スクリーン印刷法、フレキソ印刷法、オフセット印刷法等の印刷方法でオーバーシート２２上に印刷して形成することができる。また、一旦仮の支持体上に印刷して、その後オーバーシート２２に転写する転写印刷法で形成することも可能である。絵柄印刷層２３は０．５〜１．０μｍの厚みを有することが望ましい。
【００４１】
オフセット印刷法で絵柄印刷層２３を印刷する場合を例として説明すると、このオフセット印刷法は、顔料とビヒクルとを必須成分とするオフセットインキを使用して印刷することができる。なお、オフセットインキには、このほか、裏移り防止剤、光重合開始剤、熱重合禁止剤等を混合することができる。このオフセットインキとしては、そのビヒクルに応じて、紫外線硬化型インキ、酸化重合型インキ、浸透型インキ、加熱乾燥型インキ、蒸発乾燥型インキ等を使用することができる。
【００４２】
このオフセットインキに使用する顔料としては、ブリリアントカーミン６Ｃ、ジスアゾイエロー、フタロシアニングリーン、フタロシナニンブルー、メチルバイオレットレーキ、カーボンブラック、チタンホワイト等が例示できる。また、ビヒクルとしては、ロジン変性フェノール樹脂、桐油、高沸点脂肪族石油溶剤、ポリ酢酸ビニル又はその共重合樹脂、エチレン−酢酸ビニル共重合樹脂、塩化ビニル−酢酸ビニル共重合樹脂、尿素樹脂、メラミン樹脂、ケトン樹脂、ポリ塩化ビニル樹脂、アクリル樹脂、ポリエステル樹脂、アルキド樹脂、ポリアミド樹脂、エポキシ樹脂、ポリウレタン樹脂、ニトロセルロース、エチルヒドロキシエチルセルロース、環化ゴム、塩化ゴム等が使用できる。また、加熱や紫外線照射によって重合するアクリル系モノマーやオリゴマーをビヒクルとして使用することもできる。また、光重合開始剤としては、ベンゾフェノン、ベンジル、ジメチルアミノベンゾフェノン等を使用できる。熱重合禁止剤としてはハイドロキノンを例示できる。
【００４３】
保護層２４は、顔料を含まない透明インキを絵柄印刷層２３の上に印刷することによって形成することができる。印刷方法としては、グラビア印刷法、スクリーン印刷法、フレキソ印刷法、オフセット印刷法、あるいは転写印刷法を採用することができる。保護層２４の厚みは１．０〜１．５μｍでよい。
【００４４】
次に、裏側カード基材３を構成する下地印刷層３１は、グラビア印刷法、スクリーン印
刷法、フレキソ印刷法、オフセット印刷法、あるいは転写印刷法を使用してインレット保護シート３２上に印刷することによって形成することが可能である。下地印刷層３２の厚みは１．０〜３．０μｍでよい。
【００４５】
スクリーン印刷法で下地印刷層３１を印刷する場合を例として説明すると、このスクリーン印刷法は、顔料とビヒクルとを必須成分とするスクリーンインキを使用して印刷することができる。このスクリーンインキとしては、そのビヒクルに応じて、紫外線硬化型インキ、酸化重合型インキ、浸透型インキ、加熱乾燥型インキ、蒸発乾燥型インキ等を使用することができる。
【００４６】
このスクリーンインキに使用する顔料としてはカーボンブラックやジスアゾイエローが例示できる。また、ビヒクルとしては、ポリ酢酸ビニル又はその共重合樹脂、エチレン−酢酸ビニル共重合樹脂、塩化ビニル−酢酸ビニル共重合樹脂、ロジン変性フェノール樹脂、尿素樹脂、メラミン樹脂、ケトン樹脂、ポリ塩化ビニル樹脂、アクリル樹脂、ポリエステル樹脂、アルキド樹脂、ポリアミド樹脂、エポキシ樹脂、ポリウレタン樹脂、ニトロセルロース、エチルヒドロキシエチルセルロース、環化ゴム、塩化ゴム等が使用できる。なお、インレット保護シート３２と下地印刷層３１との密着性や相溶性の点から、ビヒクルとして、酢酸ビニル−アクリル共重合樹脂、エチレン−酢酸ビニル−アクリル三元共重合樹脂、あるいは塩化ビニル−酢酸ビニル−アクリル三元共重合樹脂を使用することが望ましい。
【００４７】
次に、インレット保護シート３２としては、透明又は着色不透明な樹脂シートを使用することができる。透明な樹脂シートとしては、表側カード基材２を構成する前記透明シート２１と同様の材質のシートが使用できる。また、着色不透明シートは、樹脂に着色顔料を混合してシート状に成形したものが好適に使用できる。着色顔料としては、ブリリアントカーミン６Ｃ、ジスアゾイエロー、フタロシアニングリーン、フタロシナニンブルー、メチルバイオレットレーキ、カーボンブラック、チタンホワイト等が使用できる。
【００４８】
チップ収容用シート３４についても、保護シート３２と同様に透明樹脂シートと着色不透明シートのいずれを使用することができる。
【００４９】
一方、チップ収容用シート３４の裏面側、すなわち、装飾カードの外面側に配置されるインレット保護シート３５は、アンテナ回路３３２やＩＣチップ３３３を隠蔽するため、着色不透明な樹脂シートを使用することが望ましい。
【００５０】
また、インレット保護シート３５に設けられる絵柄印刷層３６は、表側カード基材２の絵柄印刷層２３と同様に印刷して形成することができる。
【００５１】
また、オーバーシート３７としては、透明シート３１と同様の材質の透明な樹脂シートを使用することができる。
【００５２】
次に、このカードは次のように製造することができる。すなわち、まず接着剤３ａを塗布した裏側カード基材３の接着剤層３ａ面に固定用シート１１，１１’を重ね、次に、この固定用シート１１，１１’の螺鈿シート収容部に螺鈿シート１２を収容して装飾用中間層１を形成する。次に、接着剤２ａを塗布した表側カード基材２を、この装飾用中間層１の上に重ね、全体を熱プレスして一体化することによって本発明の装飾カードを製造することができる。
【００５３】
これらを一体化させる熱プレスは、表側カード基材２、装飾用中間層１及び裏側カード基材３を、加熱した金属板やロールの間に挟んで行うことができる。また、表側カード基
材２とこれら金属板やロールとの間、あるいは、裏側カード基材３とこれら金属板やロールとの間にフィルムを介在させてプレスすることによって一体化することも可能である。プレスの条件は、８０〜１８０℃、１．０〜５０ＭＰａ、１〜３０分が適している。
【００５４】
表面凹凸状のマット加工を施した装飾カードを製造する場合には、算術平均粗さＲａが０．２〜１．５μｍの表面を持つ金属板やロールを使用してプレスすればよい。また、同様の算術平均粗さＲａを持つフィルムを介してプレスした場合にも、表面マット状の装飾カードを製造することができる。一方、表面鏡面状の装飾カードを製造する場合には、算術平均粗さＲａが０．２μｍ以下の表面を持つ金属板やロールを使用すればよい。もちろん、同様の算術平均粗さＲａを持つフィルムを介してプレスした場合にも、表面鏡面状の装飾カードを製造することができる。このように表側カード基材２とこれら金属板やロールとの間、あるいは、裏側カード基材３とこれら金属板やロールとの間に介在させるフィルムとしては、ポリエチレンフィルム、ポリプロピレンフィルム、ポリエチレンテレフタレートフィルム、ポリブチレンテレフタレートフィルム等を使用することができる。
【００５５】
なお、本発明の装飾カード１００を製造する場合、表裏のカード基材２，３として大面積のシートを使用し、全体をプレス一体化して多面付けの装飾カードを製造し、次に個々の装飾カード１００に断裁することが望ましい。もちろん、この場合には、固定用シート１１，１１’として、それぞれの装飾カード１００に対応する多数の螺鈿シート収容部を有するシートを使用する必要がある。そして、螺鈿シート１２として個々の装飾カード１００より小さい面積の螺鈿シート１２を使用し、これら複数の螺鈿シート１２を固定用シート１１，１１’の螺鈿シート収容部に収容した後、表裏のカード基材２，３の間に挟んでプレス一体化すればよい。このように、表裏のカード基材２，３の間に、小面積の複数の螺鈿シート１２を挟んでプレス一体化することにより、プレス時の表裏のカード基材２，３の逃げ場を確保することができる。
【００５６】
以上、表裏のカード基材２，３として、オーバーシート２２、保護シート３５等に絵柄印刷層２３，３６を設けたものを例として説明したが、本発明がこれに限られないことは明らかである。例えば、表裏のカード基材２，３として、磁気記録層が内在するシートを使用することができる。磁気記録層としては磁気テープを例示することができる。そして、この磁気テープが表面に位置するように重ねてプレス一体化することにより、表面に磁気テープを埋め込んだ装飾カードを製造することができる。
【００５７】
また、装飾カードの表面に接触端子を露出させ、電気配線によりこの接触端子とＩＣチップ３３３とを接続させれば、ＩＣチップ３３３と外部機器との間で情報を非接触で交換することができると共に、この接触端子を通して情報を非接触で交換することもできるハイブリッドな装飾カードとすることが可能である。
【実施例】
【００５８】
（実施例）
図３に示す装飾カード１００を製造した。
【００５９】
すなわち、まず、厚さ０．１２５ｍｍの大面積のＰＥＴ−Ｇシートを２枚重ねて、その全体を透明シート２１として使用した。この透明シート２１の厚さは０．２５０ｍｍである。また、オーバーシート２２として厚さ０．０７０ｍｍの二軸延伸ポリエステルシートを使用した。そして、透明シート２１に接着剤層２ａを形成した。また、オーバーシート２２上に、順次、絵柄印刷層２３と保護層２４とを印刷した。絵柄印刷層２３と保護層２４とは、いずれも、オフセット印刷法によって形成した。そして、これら透明シート２１（厚さ０．２５０ｍｍ）とオーバーシート２２（厚さ０．０７０ｍｍ）との合計厚み、すなわち、表側カード基材２の厚みは約０．３２０ｍｍである。
【００６０】
次に、インレット基材３３１として厚さ０．０８０ｍｍのシートを使用し、このインレット基材３３１上にアンテナ回路３３２を形成した後、厚さ０．２００ｍｍのＩＣチップ３３３を固定してＩＣインレット３３を製造した。なお、チップ収容用シート３４としては、厚さ０．２００ｍｍのシートを使用した。
【００６１】
また、オーバーシート３７として厚さ０．０７０ｍｍの二軸延伸ポリエステルシートを使用した。そして、そのオーバーシート３７上に絵柄印刷層３６を印刷した。また、インレット保護シート３２として厚さ０．０５０ｍｍのＰＥＴ−Ｇシートを使用し、下地印刷層３１と接着剤層３ａをこの順に形成した。また、インレット保護シート３５としては厚さ０．０５０ｍｍのＰＥＴ−Ｇシートを使用した。
【００６２】
これら、インレット保護シート３２（厚さ０．０５０ｍｍ）、ＩＣインレット３３（厚さ０．０８０ｍｍ）、チップ収容用シート３４（厚さ０．２００ｍｍ）、インレット保護シート３５（厚さ０．０５０ｍｍ）、オーバーシート３７（厚さ０．０７０ｍｍ）の合計厚み、すなわち、裏側カード基材３の厚みは約０．４５０ｍｍである。
【００６３】
以上のように、表側カード基材２の厚み（約０．３２０ｍｍ）と裏側カード基材３の厚み（約０．４５０ｍｍ）との差は約０．１３０ｍｍである。
【００６４】
また、固定用シート１１として厚さ０．１５０ｍｍのＰＥＴ−Ｇシートを使用し、貫通孔を設けて、螺鈿シート収容部を形成した。なお、螺鈿シート１２としては、天然の貝殻の真珠層を接着剤で固定して厚さ０．１３５ｍｍのシート形状に成形したものを使用した。
【００６５】
そして、オーバーシート３７の上に、インレット保護シート３５、チップ収容用シート３４、ＩＣインレット３３、インレット保護シート３２、固定用シート１１をこの順に重ね、固定用シート１１の螺鈿シート収容部に螺鈿シート１２を収容した後、さらに、透明シート２１とオーバーシート２２とをこの順に重ね合わせた。次に、その全体を熱プレスして一体化することにより、全体の厚みを圧縮して、多面付けの装飾カードを製造した。最後に、断裁して、個々の装飾カード１００を製造した。
【００６６】
この装飾カード１００は、反りが１．５ｍｍ以下であり、カード全体の厚みも含めてＪＩＳ規格に適合していた。また、反りに起因する螺鈿の割れ、真珠層の分離、あるいは絵柄印刷層の割れもなく、通信状態も良好であった。
【００６７】
（比較例）
表側カード基材２の厚みと裏側カード基材３の厚みとの差が０．３００ｍｍの装飾カードを製造した。
【００６８】
この装飾カードは、反りが１．５ｍｍを越えており、ＪＩＳ規格に適合していなかった。また、反りに起因する螺鈿の割れ、真珠層の分離、あるいは絵柄印刷層の割れ等がみられた。
【符号の説明】
【００６９】
１００：装飾カード
１，１’：装飾用中間層    １１，１１’：固定用シート    １２：螺鈿シート
２：表側カード基材    ２１：透明シート    ２２：オーバーシート    ２３：絵柄印刷層    ２４：保護層    ２ａ：接着剤
３：裏側カード基材    ３１：下地印刷層    ３２：インレット保護シート    ３３：Ｉ
Ｃインレット    ３３１：インレット基材    ３３２：アンテナ回路    ３３３：ＩＣチップ    ３４：チップ収容用シート    ３５：インレット保護シート    ３６：絵柄印刷層    ３７：オーバーシート    ３ａ：接着剤
【図１】
2017217887.tif 000003
【図２】
2017217887.tif 000004
【図３】
2017217887.tif 000005